【手続補正書】
【提出日】平成26年1月7日(2014.1.7)
【手続補正１】
【補正対象書類名】特許請求の範囲
【補正対象項目名】全文
【補正方法】変更
【補正の内容】
【特許請求の範囲】
【請求項１】
ユーザーのソーシャルネットワークによって共有されるメディアデータに対応するメディアコンテンツの許可されたコピーにアクセスするためのコンピューターによって実施される方法であって、
前記ユーザーのソーシャルネットワークから、メディアコンテンツに関する共有されるメタデータを受け取るステップと、
前記ユーザーのソーシャルネットワークの会員のコンピューターにおいて、前記共有されるメタデータに対応するメディアコンテンツの許可されたコピーを利用するコマンドを受け取るステップと、
前記コマンドを受け取ったことに応答して、前記共有されるメタデータから前記メディアコンテンツを識別する情報を獲得し、前記会員の前記コンピューターによってアクセス可能なデータストレージデバイスの探索を開始するステップであって、前記探索は、前記会員の前記コンピューターが前記データストレージデバイスに格納されている前記メディアコンテンツの前記許可されたコピーに対するアクセスを有するかどうかを判定することを目的とし、前記メディアコンテンツを識別する前記情報に基づく、ステップと、
前記会員の前記コンピューターが前記データストレージデバイスに格納されている前記メディアコンテンツの前記許可されたコピーに対するアクセスを有すると判定することに応答して、前記メディアコンテンツの許可されたコピーを利用するためのユーザーインターフェースコントロールを表示するステップと、
前記メディアコンテンツの許可されたコピーが前記データストレージデバイスに格納されていないと判定することに応答して、前記メディアコンテンツの許可されたコピーを獲得するためのユーザーインターフェースコントロールを提示するステップと
のためのコンピューターによって実施される動作を実行することを含む方法。
【請求項２】
前記ユーザーインターフェースコントロールを提示するステップは、前記メディアコンテンツの許可されたコピーを獲得するオプションを生成するステップをさらに含む請求項１に記載のコンピューターによって実施される方法。
【請求項３】
前記探索を開始するステップは、
前記コンピューターに対してローカルのデータストレージデバイスを探索するためのクエリーを生成するステップと、
前記データストレージデバイスが前記メディアコンテンツの許可されたコピーを格納するかどうかを判定するようにアプリケーションに前記クエリーを提出するステップと
を含む請求項１に記載のコンピューターによって実施される方法。
【請求項４】
前記メディアコンテンツを利用するようにメディア再生アプリケーションを起動するステップをさらに含む請求項１に記載のコンピューターによって実施される方法。
【請求項５】
前記メディアコンテンツを表示する電子書籍読み取りアプリケーションを起動するステップをさらに含む請求項１に記載のコンピューターによって実施される方法。
【請求項６】
前記オプションを生成するステップは、前記メディアコンテンツの許可されたコピーを購入するためのコントロールを生成するステップを含む請求項２に記載のコンピューターによって実施される方法。
【請求項７】
前記オプションを生成するステップは、前記メディアコンテンツの許可されたコピーをプレビューするためのユーザーインターフェースコントロールを生成するステップを含む請求項２に記載のコンピューターによって実施される方法。
【請求項８】
前記クエリーを生成するステップは、再生アプリケーションに関連付けられたメディアライブラリーを探索するためのクエリーを生成するステップを含み、前記メディアライブラリーは、前記コンピューターに対してローカルのデータストレージデバイスに格納される請求項３に記載のコンピューターによって実施される方法。
【請求項９】
前記メディアコンテンツの許可されたコピーを購入する前記オプションを選択するステップと、
前記許可されたコピーを購入する前記オプションの前記選択に応答して、前記メディアコンテンツの許可されたコピーを購入するトランザクションを完了するアプリケーションを起動するステップと
をさらに含む請求項６に記載のコンピューターによって実施される方法。
【請求項１０】
前記オプションを生成するステップは、前記メディアコンテンツの許可されたコピーをプレビューするためのユーザーインターフェースコントロールを生成するステップをさらに含む請求項６に記載のコンピューターによって実施される方法。
【請求項１１】
プロセッサーによって実行されると、前記プロセッサーに、
メディアコンテンツに関するメタデータをユーザーのソーシャルネットワークと共有するコマンドを受け取らせ、
前記メディアコンテンツに関するメタデータを共有する前記コマンドを受け取ったことに応答して、前記メディアコンテンツを識別するデータを含むメディア情報を、前記メディアコンテンツに関連する前記メタデータから取得させ、
前記メディア情報を前記ユーザーのソーシャルネットワークと共有させ、
前記ソーシャルネットワークの会員のコンピューターにおいて前記メディアコンテンツに関する共有されるメタデータを受け取らせ、
前記共有されるメディア情報に対応する前記メディアコンテンツのコピーを利用するコマンドを受け取らせ、
前記コマンドを受け取ったことに応答して、前記メディアコンテンツを識別する情報を獲得させ、前記コンピューターによってアクセス可能なデータストレージデバイスの探索を開始させ、前記探索は、前記ユーザーのソーシャルネットワークの会員が前記データストレージデバイスに格納されているメディアコンテンツの許可されたコピーに対するアクセスを有するかどうかを判定することを目的とし、前記メディアコンテンツを識別するメディア情報に基づき、
前記会員が前記データストレージデバイスに格納されている前記メディアコンテンツの前記許可されたコピーに対するアクセスを有すると判定することに応答して、前記メディアコンテンツの前記許可されたコピーを利用するためのユーザーインターフェースコントロールを表示させ、
前記メディアコンテンツの許可されたコピーが前記データストレージデバイスに格納されていないと判定することに応答して、前記メディアコンテンツの許可されたコピーを獲得するためのユーザーインターフェースコントロールを提示させる
命令のシーケンスを符号化するようにその物理的状態が変換された、光ディスク、磁気ストレージデバイス、又は半導体コンピューター可読記憶媒体。
【請求項１２】
前記プロセッサーによって実行されると、前記プロセッサーに、前記メディアコンテンツを利用するメディア再生アプリケーションを起動させる命令のシーケンスを符号化するようにその物理的状態が変換された、請求項１１に記載の光ディスク、磁気ストレージデバイス、又は半導体コンピューター可読記憶媒体。
【請求項１３】
前記プロセッサーによって実行されると、前記プロセッサーに、
前記メディアコンテンツの前記許可されたコピーを購入するためのユーザーインターフェースコントロールを生成することによって、前記メディアコンテンツの前記許可されたコピーを獲得するオプションを生成させ、
前記メディアコンテンツの前記許可されたコピーを購入するオプションを選択させ、
前記許可されたコピーを購入するオプションの選択に応答して、前記メディアコンテンツの前記許可されたコピーを購入するトランザクションを完了するアプリケーションを起動させる命令のシーケンスを符号化するようにその物理的状態が変換された、請求項１１に記載の光ディスク、磁気ストレージデバイス、又は半導体コンピューター可読記憶媒体。